(57)【特許請求の範囲】
【請求項１】
ショーケースの庫内に配置した商品陳列棚であって、棚ブラケットを介して前傾姿勢に支持した棚板に対して、該棚板の前縁側に沿って設けたワイヤ支持フレームと棚板の背壁との間に跨がって前後方向に撓み性のある仕切ワイヤを架設し、この仕切ワイヤに沿って棚板上に陳列した商品を前後に整列ガイドさせるようにしたものにおいて、前記仕切ワイヤの長手方向に沿って、該ワイヤに薄鋼板を断面Ｕ字形に二つ折りした形状の補強部材を非固定式に前記Ｕ字曲げ部を上に向けて仕切ワイヤの上に鞍掛け式に吊り下げ懸架したことを特徴とするショーケースの商品陳列棚。
【請求項２】
請求項１に記載の商品陳列棚において、仕切ワイヤに懸架した補強部材の脱落防止手段として、二つ折りした薄鋼板にはＵ字溝の内側に向けて膨出する突起を形成したことを特徴とするショーケースの商品陳列棚。
徴とするショーケース。
【発明の詳細な説明】
【技術分野】
【０００１】
本発明は、缶，ビン，ペットボトルなどの商品を展示販売するショーケースの商品陳列棚に関する。
【背景技術】
【０００２】
ショーケースの商品陳列棚として、所謂「商品の先入れ，先出し」販売方式に対応してショーケースの庫内に棚板を前傾姿勢に支持した上で、該棚板上に仕切ワイヤを前後方向に架設し、この棚板上に陳列した商品を仕切ワイヤに沿って整列ガイドするようにした傾斜流動式の商品陳列棚が公知である（例えば、特許文献１参照）。
【０００３】
次に、ショーケース全体の構造，および傾斜流動式の仕切ワイヤ付き商品陳列棚の従来構造を図３〜図６で説明する。先ず、図３において、１は断熱筐体になる前面開放形の本体ケース、２はケース１の外箱と内箱との間に画成した冷気循環ダクト、３は冷却器（エバポレータ）、４はファンであり、ケースの庫内には上下段に並ぶ商品陳列棚５が棚ブラケット６を介して前傾姿勢に支持されており、この商品陳列棚５に搭載した缶，ビン，ペットボトルなどの商品７が次記のように前後に整列して陳列される。
【０００４】
すなわち、図４，図５で示すように、商品陳列棚５の棚板５ａはトレイ形で、その前縁に設けたワイヤ支持フレーム５ｂの上面、および棚板５ａの後縁に沿って起立する背壁５ｃにはそれぞれワイヤ差込穴５ｂ−１，５ｃ−１が定ピッチ間隔に並んで穿孔されており、このワイヤ差込穴５ｂ−１と５ｃ−１との間に仕切ワイヤ８を前後方向に架け渡して陳列商品を整列状態にガイドするようにしている。なお、ワイヤ支持フレーム５ｂは後面を開放した断面コ字形の台形板で、その上面の後縁近くにワイヤ差込穴５ｂ−１が穿孔されている。また、５ｄはワイヤ支持フレーム５ｂに立設して商品陳列棚５の前端に設けたワイヤフェンスである。
【０００５】
ここで、仕切ワイヤ８は、線径２．５mmφ程度のバネ線材で作られた棒状体であり、その前端には鉤状のフック部８ａが形成されている。そして、この仕切ワイヤ８を棚板５ａの所定位置に係止固定するには、先ず商品７のサイズ（容器の径サイズ）に合わせて仕切ワイヤ８の差込み穴を選択した上で、次記の手順による架設する。まず、仕切ワイヤ８の後端を前方から棚板５ａの背壁５ｃに穿孔したワイヤ差込穴５ｃ−１（図３参照）に嵌挿し、続いて前端に形成した鉤状のフック部８ａを下に向けてワイヤ支持フレーム５ｂの上面に穿孔したワイヤ差込穴５ｂ−１の位置に当てがう。この状態で、図６で示すように仕切ワイヤ８の中間部位に上方から指を押し当て、ここに力Ｆを加えてワイヤを下方に向けてアーチ状に撓ませると、いままで横向きであったフック部８ａの先端が縦向きに変わってワイヤ支持フレーム５ｂの上面に穿孔したワイヤ差込穴５ｂ−１（図４参照）に嵌入する。次いで、仕切ワイヤ８から手を離すとワイヤ自身が弾性復元して直線状に戻り、同時にフック部８ａの先端が横向きに戻ってワイヤ支持フレーム５ｂに係止固定される。なお、仕切ワイヤ８を取り外すには、前記と逆な手順でワイヤをアーチ状に撓ませることで棚板５ａから抜き取ることができる。
【０００６】
上記の構成で、商品陳列棚５に陳列した最前列の商品７を取り出すと、後方に並ぶ商品７が前記の仕切ワイヤ５ａにガイドされながら棚板５ａの傾斜面を滑動して前列の位置に移動し、これにより商品の「先入れ，先出し」が行われる。
【先行技術文献】
【特許文献】
【０００７】
【特許文献１】特開２００７−３２５６４９号公報
【発明の概要】
【発明が解決しようとする課題】
【０００８】
ところで、前記した従来構造の仕切ワイヤ付き商品陳列棚は、実使用面で次記のような問題点のあることが指摘されている。
すなわち、商品陳列棚５に陳列する商品７が、例えば容量１９０ｍリットル程度の比較的軽量な缶，ビン，ペットボトル商品である場合には、線径２．５mm程度の仕切ワイヤ８を使って棚板５ａに並べた商品７を問題なく安定した姿勢に整列ガイドできるが、例えば２リットル入りの大形ペットボトル商品のように重量の重い商品を陳列すると、前後に並ぶ商品との干渉により仕切ワイヤ８が側方から加わる商品の重量荷重で撓み変形し、その結果として商品７の姿勢がバランスを崩して転倒してしまう不具合を引き起こすことがある。そのほか、仕切ワイヤ８の撓み変形が大きくなると、ワイヤの後端が棚板の背壁５ｃに穿孔したワイヤ差込穴５ｃ−１から抜け出て脱落する懸念がある。
【０００９】
このような問題には、仕切ワイヤ８に線径の太いワイヤを使って撓み剛性を高める方策が考えられるが、先記のように仕切ワイヤ８を棚板５ａに着脱するには、指押し操作でワイヤをアーチ状に撓ませることが必要であることから、太いワイヤを使って撓み難くすると、仕切ワイヤ８の着脱操作性が悪化してしまう。
【００１０】
この発明は上記の点に鑑みなされたものであり、商品陳列棚に架設する仕切ワイヤの着脱操作性を損なうことなく、簡易な部品の追加により仕切ワイヤの曲げ抗力を高めて重量商品でも安定よく整列ガイドできるように改良したショーケースの商品陳列棚を提供することを目的とする。
【課題を解決するための手段】
【００１１】
上記目的を達成するために、この発明によれば、ショーケースの庫内に棚ブラケットを介して前傾姿勢に支持した棚板に対し、該棚板の前縁側に沿って設けたワイヤ支持フレームと棚板の背壁との間に跨がって前後方向に撓み性のある仕切ワイヤを架設し、この仕切ワイヤに沿って棚板に陳列した商品を前後に整列ガイドさせるようにした商品陳列棚において、前記仕切ワイヤの長手方向に沿って、該ワイヤに板状の補強部材を非固定式に架け渡すものとし、前記補強部材が薄鋼板を断面Ｕ字形に二つ折りした形状になり、前記Ｕ字曲げ部を上に向けて仕切ワイヤの上に鞍掛け式に吊り下げ懸架する。
また、仕切ワイヤに懸架した前記補強部材の脱落防止手段として、二つ折りした薄鋼板にはＵ字溝の内側に向けて膨出する突起を形成する。
【発明の効果】
【００１２】
上記のように棚板に架設した仕切ワイヤに添わせて、その長手方向に板状の補強部材を架け渡したことにより、長手方向に沿ったワイヤの曲げ抗力が大幅にアップする。これにより、棚板に重量の大きな商品を陳列した使用状態でワイヤに側方から商品荷重が加わっても、仕切ワイヤが大きく撓んで整列した商品が転倒したり、仕切ワイヤの後端がワイヤ差込穴から抜け出て脱落したりするなどの不測なトラブル発生を確実に防止できる。
【００１３】
しかも、この補強部材を仕切ワイヤに対して非固定式に架け渡したことにより、棚板に対する仕切ワイヤの着脱操作性を損なうことなく、補強部材を外した状態で仕切ワイヤを支障なくアーチ状に撓ませて棚板に着脱することができる。
【００１４】
さらに、鋼板を二つ折りした補強部材の壁面にＵ字溝の内側に向けて膨出する突起を形成しておくことで、棚から商品を取り出す際にこの商品に引きずられて補強部材が仕切ワイヤから抜け落ちるのを防ぐことができる。
【図面の簡単な説明】
【００１５】
【図１】本発明による実施例１の構成図であって、（ａ）は模式的に表した仕切ワイヤ付き商品陳列棚の側面図、（ｂ）は仕切ワイヤに補強板を架け渡した状態での部分斜視図である
【図２】本発明による実施例２の構成図であって、（ａ）は模式的に表した仕切ワイヤ付き商品陳列棚の側面図、（ｂ）は仕切ワイヤに補強板を架け渡した状態での部分斜視図、（ｃ）は（ｂ）の端面図である。
【図３】多段式オープンショーケースの全体構造を表す側視断面図である。
【図４】図３における商品陳列棚の従来構造を表す棚板部分の斜視図である。
【図５】図４の商品陳列棚に商品を並べた状態の側面図である。
【図６】図５における仕切ワイヤの着脱操作手順の説明図である。
【発明を実施するための形態】
【００１６】
以下、この発明の実施の形態を図１，および図２に示す実施例に基づいて説明する。  なお、実施例の図中で図４に対応する部材には同じ符号を付してその説明は省略する。
【実施例１】
【００１７】
まず、本発明の実施例１の構成を図１（ａ），（ｂ）に示す。この実施例の商品陳列棚５は基本的に図４，図５に示した従来構造のものと同じ構成であるが、棚板５ａの前縁側に設けたワイヤ支持フレーム５ｂと棚板の背壁５ｃの間に跨がって前後方向に架設した仕切ワイヤ８には、その長手方向に沿って補強板９が新たに追加装備されている。
【００１８】
この補強板９は板厚０．５mm程度の薄鋼板を断面Ｕ字形に二つ折りし成形したものであり、そのＵ字曲げ部９ａを上に向けて仕切ワイヤ８の上に鞍掛け式に懸架して着脱が可能となるように非固定式に吊り下げ支持している。
【００１９】
上記のように仕切ワイヤ８の長手方向に沿って補強板９を懸架したことにより、仕切ワイヤ８の曲げ抗力が大幅にアップする。これにより、商品陳列棚に並べる商品７（図３参照）が、例えば２リットル入りペットボトル商品であっても、その商品荷重により仕切ワイヤ８が側方に撓み変形してその整列ガイド機能が損なわれて商品が転倒するなどのトラブル発生を回避して、重量の重い商品も安定よく整列ガイドできる。
【００２０】
なお、仕切ワイヤ８は従来と同様に線径２．５mmφ程度の線バネ材で作られたものを採用しており、この仕切ワイヤ８を棚板５ａに着脱する際には、補強板９を一旦仕切ワイヤ８から外した上で、図６で述べたように仕切ワイヤ８に指先を押し当ててアーチ状に撓ませて行うようにする。このように、仕切ワイヤ８に対し補強板９を非固定で着脱可能に懸架することで、この補強板９に邪魔されることなく、従来構造と同様な方法で仕切ワイヤ８の着脱作業を支障なく行うことができる。
【実施例２】
【００２１】
次に、先記実施例１をさらに改良した本発明の実施例２の構成を図２（ａ）〜（ｃ）に示す。なお、この実施例の図中で図１に対応する部材には同じ符号を付してその説明は省略する。
【００２２】
すなわち、この実施例では、先記の実施例１（図１参照）で仕切ワイヤ８に追加装備した断面Ｕ字形の二つ折り構造になる補強板９に対して、図２のように補強板９の板面にはＵ字溝の内側に向けて膨出する突起９ｂが補強板９の前後二箇所に形成されている。
【００２３】
なお、この突起９ｂは補強板９を二つ折りする前の工程で打ち出し加工により形成し、図２（ｃ）で表すようにＵ字溝を隔てて対向する左右の板面に突起９ｂを向かい合わせに突出し形成している。
【００２４】
これにより、先記した実施例１（図１）の効果に加え、補強板９の板面に形成した突起９ｂが補強板９の抜け止め用突起として機能し、棚から商品を取り出す際にこの商品に引きずられて補強板９が仕切ワイヤ８から抜け出て不測に脱落するのを防止できる。
【符号の説明】
【００２５】
５    商品陳列棚
５ａ  棚板
５ｂ  ワイヤ支持フレーム
５ｂ−１  ワイヤ
５ｃ  棚板の背壁
６    棚ブラケット
７    商品
８    仕切ワイヤ
８ａ  フック部
９    補強板
９ａ  Ｕ字曲げ部
９ｂ  突起
【図１】
0005601052.tif 000002
【図２】
0005601052.tif 000003
【図３】
0005601052.tif 000004
【図４】
0005601052.tif 000005
【図５】
0005601052.tif 000006
【図６】
0005601052.tif 000007